(57)【要約】【課題】複数の被覆ブロックを同時に据付け可能とすることで、被覆ブロック据付作業の工費縮減と施工能率の向上をはかり、作業の安全性をはかり得る被覆ブロックの据付方法およびその装置を提供する。【解決手段】複数の被覆ブロック２を船上に所定の幅に並べて積込んだクレーン船３で運搬しの後、複数の被覆ブロック２の各先端部に装着可能な複数のリングからなる吊り治具にて玉掛けを行い、クレーン４により吊り込み据付けの後、玉掛け外しを行い、吊り治具を船上に引上げ、その吊り治具にて、船上の複数の被覆ブロック２の玉掛けを行う以降の操作を順次繰り返す。【選択図】　　　　図１
2004059207.tif 000002
【特許請求の範囲】
【請求項１】
複数の被覆ブロックを船上の所定位置に並べて積込んだクレーン船を据付け場所に運搬し、据付ける複数の被覆ブロックの各先端部に装着可能な複数のリングからなる吊り治具にて玉掛けを行い、所定の据付け位置にクレーンにより吊り込み据付けの後、玉掛け外しを行い、吊り治具を船上に引上げ、その吊り治具にて船上の複数の被覆ブロックの玉掛けを行う被覆ブロックの据付方法。
【請求項２】
請求項１の据付ける複数の被覆ブロックの各先端部に装着可能な複数のリングからなる吊り治具にて玉掛けを行なう際に、複数のリング下部周面にそれぞれ突設した長さの異なる装着ガイドを、長さの長い方から順次被覆ブロックに装着する請求項１記載の被覆ブロックの据付方法。
【請求項３】
クレーン船の船上に装備されたクレーンと、その船上に並べられた複数の被覆ブロックの各先端部に装着可能な複数のリングからなる玉掛け用の吊り治具と、被覆ブロックの据付後に吊り治具を引上げ可能な玉掛け外し具とからなる被覆ブロックの据付装置。
【請求項４】
吊り治具の複数のリングの下部周面のそれぞれに、長さの異なる装着ガイドが突出して設けられている請求項３記載の被覆ブロックの据付装置。
【発明の詳細な説明】
【０００１】
【発明の属する技術分野】
本発明は、主に捨石マウンドの被覆法面上に被覆ブロックを据付ける際に、複数の被覆ブロックを同時に据付けが可能な被覆ブロックの据付方法およびその装置に関する。
【０００２】
【従来の技術】
従来、図１１に示すごとき水中構築物の捨石マウンド１の法面等の上に、例えばテトラポット（登録商標）のごとき被覆ブロック２を据付ける際には、図１２の施工フローに示すように、図１１において、クレーン船３の船上に被覆ブロック２を積込み、海上を据付位置まで運搬し、船上のクレーン４により被覆ブロック２を１個ずつ玉掛けし、吊り込みを行ない、潜水士船５からサポートされた潜水士６が指示を出して所定の据付位置に誘導した後、被覆ブロック２を着底させ据付けし、潜水士６により玉掛けワイヤーを外す作業を行ない、このサイクルを繰り返し据付作業を行なっていた。
【０００３】
しかしながら、上記従来の方法では、被覆ブロック２を１個ずつ玉掛けし、所定位置に据付けるサイクルを繰り返し行なっているため、作業時間及び工費がかさむと共に、作業の安全性の面でも問題が多かった。
【０００４】
【発明が解決しようとする課題】
本発明は、被覆ブロックの据付において、例えば２層積みの被覆ブロックの内の少なくとも１層目のブロックの据付時において、複数の被覆ブロックを同時に据付け可能とすることで、被覆ブロック据付時の工費節減と施工能率向上をはかると共に、作業の安全性の向上を図り得る被覆ブロックの据付方法及び装置を提供する。
【０００５】
【課題を解決するための手段】
本発明は、複数の被覆ブロックを船上の所定位置に並べて積込んだクレーン船を据付け場所に運搬の後、据付ける複数の被覆ブロックの各先端部に装着可能な複数のリングからなる吊り治具にて玉掛けを行い、所定の据付け位置にクレーンにより吊り込み据付けの後、玉掛け外しを行い、吊り治具を船上に引上げ、その吊り治具にて船上の複数の被覆ブロックの玉掛けを行う被覆ブロックの据付方法からなり、また本発明は、上記の据付ける複数の被覆ブロックの各先端部に装着可能な複数のリングからなる吊り治具にて玉掛けを行なう際に、複数のリング下部周面にそれぞれ突設した長さの異なる装着ガイドを、長さの長い方から順次被覆ブロックに装着する被覆ブロックの据付方法からなる。
【０００６】
さらに、上記の据付方法に適用される本発明の据付装置は、クレーン船の船上に装備されたクレーンと、その船上に並べられた複数の被覆ブロックの各先端部に装着可能な複数のリングからなる玉掛け用の吊り治具と、被覆ブロックの据付後に吊り治具を引上げ可能な玉掛け外し具とからなり、また本発明の装置は上記吊り治具の複数のリングの下部周面のそれぞれに、長さの異なる装着ガイドが突出して設けることからなる。
【０００７】
【発明の実施の形態】
以下図面を参照して本発明の被覆ブロックの据付方法およびその装置の一実施形態につき説明する。
【０００８】
まず、図１は本発明の据付方法により捨石マウンド１の法面上に複数個、例えばこの実施形態では３個の被覆ブロック２を据付ける状況を示しており、図１１の従来例とそれぞれ同じ部品は同じ符号で示しているが、この実施形態においては、図２の施工フロー図に示しているように、まずクレーン船３の船上に被覆ブロック２を積み込む際に、複数個（本実施形態では３個で説明する）を所定の幅に並べて積み込み、積込み完了後、海上運搬を行ない、船上において図３のごとく据付ける３個の被覆ブロック２に対して、それぞれの先端部に装着可能な図４の平面図で示すようなリング７からなる吊り治具によりそれぞれの被覆ブロック２の玉掛けを行なう。
【０００９】
ここで、上記３個の被覆ブロック２の各上方先端部に装着される３個のリング７は、各リング７の下部周面にそれぞれ図５、図６および図７のごとく複数の装着ガイド１０が突出して設けられており、これらの装着ガイド１０は、それぞれの長さが異なって設けられており、図５は図３の左側のリング７を示し、図６は図３の中央部のリング７を示し、そして図７は図３の右側のリングを示しており、図５のリング７に比べ図６のリング７はその装着ガイド１０の長さが短くなっており、図７のリング７は装着ガイド１０がさらに短くなっており、例えば図７のごとく装着ガイド１０がない場合でもよい。。
【００１０】
これら３個の被覆ブロック２に対し、上記の３個のリング７等からなる吊り治具にて玉掛けを行なう状態を、図１０に示しており、図１のクレーン４の主巻きフック１１からの吊りワイヤーを図８で示す角パイプコラム１２の吊ジグを介して図４の吊りピース１７で各リング７を同時に吊りながら、図５のリング７、図６のリング７、そして図７のリング７の順序で長さの長い装着ガイド１０付きのリング７から長さの短い装着リング１０付きのリング７への順序、即ち図３の左側から右側へと順次各リング７を被覆ブロック２に装着し、それぞれの被覆ブロック２に対してそれぞれ玉掛けワイヤーを掛けて玉掛けする。
【００１１】
この場合、３個のリング７の各装着ガイド１０の長さが異なっており、長さの長い方から順次被覆ブロック２にリング７を装着することにより、その玉掛け作業が容易になり、例えば１人または２人で３個の玉掛け作業を行なう場合、まず図１０の左側のリング７の装着ガイド１０の下端が被覆ブロック２の先端で保持され、次に中央のリング７の装着ガイド１０の下端が左側より高い位置で保持され、最後に右側のリング７が被覆ブロック２の先端に装着されるので、３個の玉掛け作業を円滑にかつ少ない人員で能率良く行なうことができ、しかも安全な玉掛けができる。
【００１２】
なお、上記のごとく各被覆ブロック２を１個ずつ玉掛け時には、図９に示すごとく玉掛けワイヤー１６の端部に玉掛け外し具１３を介在させて行なうが、玉掛け外し具１３のレバー２０を玉掛け解除ロープ１５で図１０に示すクレーン５の補巻きフック１４により図９の矢印Ｕ方向に引き上げることにより、玉掛け外しが自動的にできるようになっており、この玉掛け解除ロープ１５は図４のリング７に設けられた解除ロープ通し口１８内を遊貫して引き上げられるようになっている。
【００１３】
また、この実施形態に示した玉掛け外し具１３は玉掛け解除ロープ１５を引き上げることで自動的に玉掛け外しができるようになっているが、この玉掛け外し具１３に限定するものではなく、どのような玉掛け外し装置を使用してもよい。
【００１４】
さらに３個の被覆ブロック２は図３で並べられた状態で各リング７の外周に設けた連結ワイヤー取付部９を介して連結ワイヤー８を、図３に示すように３個の被覆ブロック２のまわりをまわしてその両端部を止めることで、３個の被覆ブロックの回転を防止するようにしている。
【００１５】
次に、図１２の施工フロー図に示すように、専用の吊り治具を介して玉掛けした３個の被覆ブロック２を図３の状態に組み付けた状態でクレーン５の主巻きフック１１により、各リング７の吊ピース１７を介して吊り込み、所定の据付位置に誘導し、据付けを行ない、潜水士６が被覆ブロック２の方向と位置を確認の後、玉掛け解除ロープ１５を引き上げることにより、玉掛け外しを行い、リング７等の吊り治具を船上に引き上げる。
【００１６】
その後、引き上げた吊り治具により、船上の次に据付ける３個の被覆ブロック２の玉掛けを行なう以降の操作を順次繰り返して、捨石マウンド１の所定の位置上に被覆ブロック２の据付けを行なう。
【００１７】
以上に説明した本発明の据付方法およびその装置を採用することにより、複数個の被覆ブロック２を各突起状部を喰み合わせた状態で並べて船上に並べておき、複数のリング７や連結ワイヤー８により複数のグループを一体化して玉掛けし、同時に据付けすることで施工効率を高めることを特徴としているが、複数の被覆ブロック２の玉掛けに使用する吊り治具の複数のリング７の下部周面にそれぞれ設けた装着ガイド１０の長さを変化させているので、複数の被覆ブロック２の先端にリングを順次装着する作業を容易にできることも本発明のもう一つの特徴である。
【００１８】
なお、本発明は、例えば商品名テトラポットのような被覆ブロック２の適用に限定されず、喰み合わせたり組合わせ可能な被覆ブロック２であれば、どのような被覆ブロック２を複数個同時に据付ける際に有効であり、また同時据付けする個数も、２個または３個以上の複数個に対して適用可能である。
【００１９】
【発明の効果】
以上に説明した本発明の据付方法およびその装置によれば、複数の被覆ブロックを同時に据付けることが可能となり、被覆ブロック据付時の工費の節減と施工能率の向上をはかれると共に、作業の安全性の向上をはかることができる。
【００２０】
さらに、上記の据付時に、複数の被覆ブロックのそれぞれに玉掛けする際の吊り治具の各被覆ブロックに対する装着用の吊り治具の各リングの装着ガイドの長さを変化させたことで、玉掛けが容易になり、玉掛作業の要因の数を低減でき経済的で安全な施工が可能になる。
【図面の簡単な説明】
【図１】本発明の据付け方法を適用した一実施形態における据付施工状況を示す概略図である。
【図２】図１の方法による据付施工のフロー図である。
【図３】図１の３個の被覆ブロックを一体化して玉掛けする状態の平面図である。
【図４】図１の吊り治具のリングの平面図である。
【図５】図３の左側のリングの拡大側面図である。
【図６】図３の中央のリングの拡大側面図である。
【図７】図３の右側のリングの拡大側面図である。
【図８】図１０の角パイプコラムの拡大平面図である。
【図９】図１０の玉掛け外し具の拡大説明図である。
【図１０】図１の吊り治具を示す全体側面図である。
【図１１】従来の据付方法による据付施工状況を示す概略図である。
【図１２】図１１の方法による据付施工フロー図である。
【符号の説明】
２　　被覆ブロック
３　　クレーン船
４　　クレーン
７　　リング
１０　　装着ガイド
１１　　玉掛外し具
【図１】
2004059207.tif 000003
【図２】
2004059207.tif 000004
【図３】
2004059207.tif 000005
【図４】
2004059207.tif 000006
【図５】
2004059207.tif 000007
【図６】
2004059207.tif 000008
【図７】
2004059207.tif 000009
【図８】
2004059207.tif 000010
【図９】
2004059207.tif 000011
【図１０】
2004059207.tif 000012
【図１１】
2004059207.tif 000013
【図１２】
2004059207.tif 000014